(57)【要約】【課題】２種類の浄水を選択的に供給できるとともに、任意の割合に混合し、所望の用途に合った浄水を供給することができる浄水システムを提供すること【解決手段】原水を濾過して浄水を生成する浄水システムであって、１つ以上の吐水口と、原水を供給する原水供給流路と、第１フィルタと、前記第１フィルタに被濾過水を供給する第１浄水供給流路と、前記第１フィルタを前記吐水口に接続する第１浄水流路と、イオン分離性能を有する第２フィルタと、前記第２フィルタに被濾過水を供給する第２浄水供給流路と、前記第２フィルタを前記吐水口に接続する第２浄水流路と、前記第１浄水流路と、前記第２浄水流路とを、前記吐水口に連通させる切替手段とを、備え、前記切替手段が、前記第１浄水流路から供給される第１浄水と、前記第２浄水流路から供給される第２浄水とを、任意の混合比率で混合して、前記吐水口から流出させることができる浄水システム。【選択図】図１
2015123389.tif 000002
【特許請求の範囲】
【請求項１】
原水を濾過して浄水を生成する浄水システムであって、少なくとも１つ以上の吐水口と、原水を供給する原水供給流路と、第１フィルタと、前記第１フィルタに被濾過水を供給する第１浄水供給流路と、前記第１フィルタを前記吐水口に接続する第１浄水流路と、イオン分離性能を有する第２フィルタと、前記第１浄水路から分岐して、前記第２フィルタに被濾過水を供給する第２浄水供給流路と、前記第２フィルタを前記吐水口に接続する第２浄水流路と、前記第１浄水流路と、前記第２浄水流路とを、前記吐水口に連通させる切替手段とを、備え、前記切替手段が、前記第１浄水流路から供給される第１浄水と、前記第２浄水流路から供給される第２浄水とを、任意の混合比率で混合して、前記吐水口から流出させることができる、ことを特徴とする浄水システム。
【請求項２】
前記切替手段が、原水を供給する原水流路と、前記第１浄水流路と、前記第２浄水流路とを、前記吐水口に連通させることができる請求項１に記載の浄水システム。
【請求項３】
原湯を供給する原湯流路を有し、前記切替手段が、前記原水流路と、原湯流路と、前記第１浄水流路と、前記第２浄水流路とを、前記吐水口に連通することができる請求項１に記載の浄水システム。
【請求項４】
前記切替手段が、原水と、原湯とを、任意の混合比率で混合して、前記吐水口から流出させることができる請求項３に記載の浄水システム。
【請求項５】
前記第１浄水供給路が、少なくとも１つ以上のプレフィルタに連通され、前記プレフィルタが原水を供給する原水供給路と連通される請求項１ないし３に記載の浄水システム
【請求項６】
前記第１フィルタが、前記プレフィルタとは異なる濾過性能を備え、前記第２フィルタが、前記第１フィルタより高い濾過性能を備え、ている、請求項１ないし４に記載の浄水システム。
【請求項７】
前記原水流路の上流端が、前記原水供給流路に接続されている、請求項２ないし５のいずれか１項に記載の浄水システム。
【請求項８】
前記プレフィルタが、活性炭を備えている請求項４ないし６のいずれか１項に記載の浄水システム。
【請求項９】
前記第１フィルタが、精密濾過膜、限外濾過膜、およびナノ濾過膜のいずれかを備えている、請求項１ないし７のいずれか１項に記載の浄水システム。
【請求項１０】
前記第１フィルタが、精密濾過膜を備えている、請求項１ないし８のいずれか１項に記載の浄水システム。
【請求項１１】
前記第２フィルタが、ＲＯ膜又はイオン交換体を備えている、請求項１ないし９のいずれか１項に記載の浄水システム。
【請求項１２】
前記第２フィルタが、ＲＯ膜を備えている、請求項１ないし１０のいずれか１項に記載の浄水システム。
【請求項１３】
前記原水供給路に設けられた開閉弁と、前記開閉弁の開閉を操作する制御装置と、前記制御装置の動作を操作する操作手段とを、備えている請求項１ないし１１に記載の浄水システム。
【請求項１４】
前記吐水口が水栓に設けられている、請求項１ないし１２のいずれか１項に記載の浄水システム。
【請求項１５】
前記水栓が、前記操作手段を備えている請求項１３に記載の浄水システム。
【請求項１６】
前記操作手段がシングルレバー混合水栓である、請求項１ないし１４のいずれか１項に記載の浄水システム。
【発明の詳細な説明】
【技術分野】
【０００１】
本発明は、概略的には浄水システムに関し、詳細には、複数のフィルタからの浄水を切替えて供給することができる浄水システムに関する。
【背景技術】
【０００２】
従来から、カートリッジ内部に粒状又は繊維状の活性炭、中空糸膜、平膜、セラミック焼結体等のろ材が収納されたフィルタによって、水道水等の原水中の残留塩素、細菌・大腸菌等のバクテリア、或いは鉄錆等の微粒子を除去する浄水器が知られている。
【０００３】
また、異なる濾過性能を有する複数のフィルタを備え、必要とする浄水の品質に適応して使用するフィルタを選択的に切り替える浄水システムが知られている。
【０００４】
例えば、特許文献１に記載された浄水システムは、活性炭フィルタの下流側にＲＯ膜フィルタが配置された構成である。特許文献１に記載された浄水システムは、活性炭フィルタのみを通過した浄水と、活性炭フィルタおよびＲＯ膜フィルタを通過した浄水とを選択的に供給できる構成とされている。
【先行技術文献】
【特許文献】
【０００５】
【特許文献１】特開２００８−６８２４３号公報
【発明の概要】
【発明が解決しようとする課題】
【０００６】
しかしながら、特許文献１の発明では、活性炭フィルタのみを通過した浄水と、活性炭フィルタおよびＲＯ膜フィルタを通過した浄水との２種類の浄水しか選択できない。さらに、活性炭フィルタのみを通過した浄水では、ミネラル成分や硬度成分、活性炭に起因する微粉やバクテリアを除去できず、飲料用には適さない。また、活性炭フィルタおよびＲＯ膜フィルタを通過した浄水は、ミネラル成分、硬度成分をも除去してしまうため、まろやかさを損なうこととなり、飲料用としては好ましくない。その為、所望の用途に合った浄水を供給できないといった問題点があった。
【０００７】
本発明は、上述した問題を解決するためになされたものであり、２種類の浄水を使用用途によって選択的に供給できるとともに、任意の割合に混合し、所望の用途に合った浄水を供給することができる浄水システムを提供することを目的とする。
【課題を解決するための手段】
【０００８】
本発明によれば、原水を濾過して浄水を生成する浄水システムであって、少なくとも１つ以上の吐水口と、原水を供給する原水供給流路と、第１フィルタと、前記第１フィルタに被濾過水を供給する第１浄水供給流路と、前記第１フィルタを前記吐水口に接続する第１浄水流路と、イオン分離性能を有する第２フィルタと、前記第１浄水路から分岐して、前記第２フィルタに被濾過水を供給する第２浄水供給流路と、前記第２フィルタを前記吐水口に接続する第２浄水流路と、前記第１浄水流路と、前記第２浄水流路とを、前記吐水口に連通させる切替手段とを、備え、前記切替手段が、前記第１浄水流路から供給される第１浄水と、前記第２浄水流路から供給される第２浄水とを、任意の混合比率で混合して、前記吐水口から流出させることができる、ことを特徴とする浄水システムが提供される。
【０００９】
本発明では、第１浄水流路又は第２浄水流路を選択的に吐水口に連通させる切替手段を有することにより、第１浄水流路からの第１浄水と第２浄水流路からの第２浄水とを選択的に供給することができる。
そして、前記切替手段は、第１浄水と第２浄水とを所望の混合比で混合することができ、所望の水質の浄水を得ることができる。
【００１０】
さらに、第２浄水供給路が、第１浄水路から分岐していることにより、原水や後述するプレフィルタ等に起因する微粉、細菌、雑菌等を第１フィルタにて補足できる為、第２フィルタの負荷を低減し、性能を落とすことなく、長期間使用することができる。
【００１１】
また、本発明では、切替手段が、原水を供給する原水流路と、前記第１浄水流路と、前記第２浄水流路とを、前記吐水口に連通させることができることが好ましい。
【００１２】
このような構成によれば、切替手段を作動させることによって、吐水口に原水と、第１浄水と、第２浄水とを選択的に供給することができる。
【００１３】
さらに、原水が吐水口に供給されることで、原水中の残留塩素によって、吐水口内が殺菌され、内部汚染を防止することができる。
【００１４】
また、本発明では、原湯を供給する原湯流路を有し、切替手段が、原水流路と、原湯流路と、第１浄水流路と、第２浄水流路とを、吐水口に連通することができることが好ましい。
【００１５】
このような構成によれば、切替手段を作動させることによって、吐水口に原水と、原湯と、第１浄水と、第２浄水とを選択的に供給することができる。
【００１６】
また、本発明では、切替手段が、原水と、原湯とを、任意の混合比率で混合して、吐水口から流出させることができることが好ましい。
【００１７】
このような構成によれば、切替手段を作動させることによって、所望の割合で、原水と原湯を混合することができるため、所望の温度の水を得ることができる。
【００１８】
また、本発明では、第１浄水供給路が、少なくとも１つ以上のプレフィルタに連通され、プレフィルタが原水を供給する原水供給路と連通されることが好ましい。
【００１９】
このような構成によれば、プレフィルタによって、原水中の大きなゴミや、有機化合物を除去できるため、第１フィルタへの負担を低減し、第１フィルタの寿命を延ばすことができる。
【００２０】
また、本発明では、第１フィルタが、前記プレフィルタとは異なる濾過性能を備え、前記第２フィルタが、前記第１フィルタより高い濾過性能を備えていることが好ましい。
【００２１】
このような構成によれば、原水及びプレフィルタに起因する微粉、細菌、雑菌等を第１フィルタにて補足できる為、第２フィルタの負荷を低減し、性能を落とすことなく、長期間使用することができる。また、異なったろ過性能を備えたフィルタを複数設けることで、水質に応じた処理を行うことができる。
【００２２】
また、本発明では、前記原水流路の上流端が、前記原水供給流路に接続されていることが好ましい。
【００２３】
このような構成によれば、浄水システムに常に水が供給されているため、ユーザーは原水を浄水システムに供給するための原水バルブを操作することなく浄水システムを稼働することができる。
【００２４】
また、本発明では、前記プレフィルタが、活性炭を備えていることが好ましい。
【００２５】
このような構成によれば、残留塩素やカビ臭、トリハロメタン等の有機化合物を除去することができる。
【００２６】
また、本発明では、前記第１フィルタが、精密濾過膜、限外濾過膜、およびナノ濾過膜のいずれかを備えていることが好ましい。
【００２７】
このような構成によれば、微粉や細菌、雑菌等の最大粒子径が０．０１μｍ以上の物を除去することができ、第２フィルタの性能を落とすことなく、長期間使用することができる。
【００２８】
また、本発明では、前記第２フィルタが、ＲＯ膜又はイオン交換体を備えていることが好ましい。
【００２９】
このような構成によれば、原水中に含まれる硬度成分を除去でき、軟水化が可
能となる。
【００３０】
また、本発明では、前記原水供給路に設けられた開閉弁と、前記開閉弁の開閉を操作する制御装置と、前記制御装置の動作を操作する操作手段とを備えていることが好ましい。
【００３１】
このような構成によれば、フィルタに水圧がかからないので、フィルタの寿命を延ばすことができる。
【００３２】
また、本発明では、前記吐水口が水栓に設けられていることが好ましい。
【００３３】
このような構成によれば、吐水口が水栓と一体になっているため、ユーザーが簡単に浄水を取水することができる。
【００３４】
また、水栓が、操作手段を備えていることが好ましい。
【００３５】
このような構成によれば、操作手段と水栓が一体となっているため、ユーザーが簡単に浄水を取水することができる。
【００３６】
また、本発明では、前記水栓がシングルレバー混合水栓であることが好ましい。
【００３７】
このような構成によれば、ユーザーがレバー操作によって簡単に水栓の開閉と、水質の選択、及び混合比の調整をすることができる。
【発明の効果】
【００３８】
本発明によれば、２種類の浄水を使用用途によって選択的に供給できるとともに、任意の割合に混合し、所望の用途に合った浄水を供給することができる。
【図面の簡単な説明】
【００３９】
【図１】本発明の実施形態に係る浄水システムの構成例を示す模式的なブロック図である。
【図２】本発明の実施形態に係る浄水システムの流路切替器を構成する固定ディスクの平面図である。
【図３】本発明の実施形態に係る浄水システムの流路切替器を構成する可動ディスクの平面図である。
【図４】本発明の実施形態に係る浄水システムのオートシャットオフバルブの通水状態を示す図である。
【図５】本発明の実施形態に係る浄水システムのオートシャットオフバルブの止水状態を示す図である。
【図６】本発明の実施形態に係る浄水システムの構成例を示す模式的なブロック図である。
【図７】発明の実施形態に係る浄水システムの構成例を示す模式的なブロック図である。
【図８】発明の実施形態に係る浄水システムの流路切替器を構成する固定ディスクの底面図である。
【図９】発明の実施形態に係る浄水システムの流路切替器を構成する固定ディスクの平面図である。
【図１０】発明の実施形態に係る浄水システムの流路切替器を構成する可動ディスクの平面図である。
【図１１】発明の実施形態に係る浄水システムの流路切替器の通水状態を示す図である。
【図１２】発明の実施形態に係る浄水システムの流路切替器の止水状態を示す図である。
【図１３】発明の実施形態に係る浄水システムの構成例を示す模式的なブロック図である。
【発明を実施するための形態】
【００４０】
以下、図面を参照して、本発明の好ましい実施形態の浄水システムについて説明する。
【００４１】
（実施形態１）
図１は、本発明の第１の実施形態の浄水システム１の構成を示す模式的なブロック図である。ここで説明する浄水システムは、浄水システム内で常に水圧がかかった状態で使用されるいわゆるＩ型(先止め式)の浄水システムである。
【００４２】
図１に示すように、浄水システム１では、原水が供給される原水供給路２に、上流側から順に、逆止弁３、第１プレフィルタ４、第２プレフィルタ（カーボンフィルタ）６が配置されている。
【００４３】
第１プレフィルタ４は、原水中の比較的大きな粗ゴミ、砂、鉄錆等の異物を取り除くことができる。そのため、第１プレフィルタ４の下流に中空糸膜フィルタ等を設けた際に、原水中の比較的大きな異物が取り除かれ、中空糸膜フィルタにかかる負担が少なくなり、中空糸膜の寿命を長くすることができる。
【００４４】
第１プレフィルタ４の構造としては、糸巻型、ロール型、サーフェス型、デプス・プリーツ型等が挙げられる。中でも、圧損が低く、濾過面積が広いことから、デプス・プリーツ型が好ましい。
【００４５】
第１プレフィルタ４の材質としては、ポリアクロニトリル、ポリビニルアルコール、ポリ塩化ビニル、ポリエチレン、ポリプロピレン等からなる合成繊維、ガラス繊維等や、ポリエチレン、ポリプロピレン等のポリオレフィン樹脂、ポリスチレン樹脂、アクリル樹脂、フッ素樹脂等の樹脂材料、Ｃ、Ｓｉ、Ｍｎ、Ｐ、Ｓ、Ｃｒ、Ｍｏ、Ｎｂ、Ｔａ、Ｂ、Ｖ、Ｎｉ、Ｃｕ、Ａｌ、Ｔｉ、Ｆｅ、Ｃｏ、およびこれらの合金等の無機、金属材料等が挙げられる。
【００４６】
第２プレフィルタ（カーボンフィルタ）６は、被処理水中の残留塩素やカビ臭、トリハロメタン等の有機化合物の吸着力用として、活性炭が使用されている。活性炭としては、例えば、粉末状、粒状、繊維状活性炭が挙げられる。粉末状、粒状活性炭としては、植物質（木材、セルロース、のこくず、木炭、椰子殻炭、素灰等）、石炭質（泥炭、亜炭、褐炭、瀝青炭、無煙炭、タール等）、石油質（石油残渣、硫酸スラッジ、オイルカーボン等）、パルプ廃液、合成樹脂等を炭化し、必要に応じてガス（水蒸気、二酸化炭素、空気等）や、薬品（塩化カルシウム、塩化マグネシウム、塩化亜鉛、リン酸、硫酸、カセイソーダ、ＫＯＨ等）で賦活したもの等が挙げられる。繊維状活性炭としては、ポリアクリロニトリル（ＰＡＮ）、セルロース、フェノール、石炭系ピッチを原料にしたプレカーサを炭化し、ガス（水蒸気、二酸化炭素、空気等）や、薬品（塩化カルシウム、塩化マグネシウム、塩化亜鉛、リン酸、硫酸、カセイソーダ、ＫＯＨ等）で賦活したもの等が挙げられる。中でも除去性能を考慮すると、粒状活性炭が好ましい。
【００４７】
粒状活性炭の粒径は、ＪＩＳ  Ｚ８８０１に準拠した２０〜２００メッシュ（７５μｍ〜８５０μｍ）の範囲であればよく、３６〜１５０メッシュ（１０６μｍ〜４２５μｍ）の範囲が好ましい。この範囲よりも粒径が小さいと通水性が悪くなり、この範囲よりも大きいとろ過性能が低くなる。
また、１０インチのハウジングを使用する場合、充填量は２００ｃｃ〜４００ｃｃが好ましい。
【００４８】
第２プレフィルタ（カーボンフィルタ）６の下流側には、第１浄水供給流路５の上流端が接続されている。また、第１浄水供給流路５の下流端は、逆止弁５ａを介して第１フィルタ８の入口に接続されている。このように接続することで、第１フィルタに、第２プレフィルタ６等によって濾過された被濾過水が供給される。
【００４９】
本実施形態では、第１フィルタ８として、精密ろ過膜フィルタが使用されている。精密ろ過膜フィルタに使用される精密ろ過膜(ＭＦ膜)は、膜表面の孔径は、０．０１μｍ〜１０μｍ程度で、除去対象物質の粒径が０．０１μｍより大きい膜である。溶解性物質は透過するが、最大粒子径が０．０１μｍ以上の物、例えば微生物や細菌等が除去される。
【００５０】
精密ろ過膜フィルタとしては、シート状の平膜、中空糸状の中空糸膜等が使用でき、例えば、セルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ四弗化エチレン（テフロン（登録商標））系、ポリカーボネイト系、ポリエステル系、ポリアミド系、芳香族ポリアミド系等の各種材料からなるものが使用できる。
なかでも、取扱い性や加工特性、耐薬品性等を考慮すると、ポリエチレン系の中空糸膜が好ましい。
【００５１】
精密ろ過膜の総膜面積は、１０インチのハウジングを使用する場合、０．２ｍ２〜２．０ｍ２であることが好ましく、０.５ｍ２〜１．５ｍ２であることがさらに好ましい。この範囲よりも大きいとフィルタの加工性が悪くなり、この範囲よりも小さいと、ろ過性能が低くなる。
【００５２】
第１フィルタ８の下流側には、第１浄水流路１０の上流端が接続されている。また、第１浄水流路１０の下流端は、逆止弁１２を介して、吐水口１４を有するシングルレバー水栓である水栓１６に接続されている。
【００５３】
また、原水供給路２の逆止弁３の上流側の部分から原水流路１８が分岐している。この原水流路１８の下流端は、逆止弁２０を介して、水栓１６に接続されている。
【００５４】
第１浄水流路１０の逆止弁１２より上流側の部分から、分岐路（第２浄水供給流路）２２が分岐し、逆止弁２４を介して、ＲＯ膜フィルタ（第２フィルタ）２６の入口に接続されている。このように接続することで、ＲＯ膜フィルタ（第２フィルタ）２６に、第１フィルタ８等によって濾過された被濾過水が供給される。
【００５５】
ＲＯ膜はイオン分離性能を有している。ＲＯ膜フィルタ（第２フィルタ）２６で使用されるＲＯ膜は、０．０００１〜０．０００５μｍという超微細孔を有する人工的な半透膜であり、ナトリウムやカルシウム等の金属イオン、塩素イオンや硫酸イオン等の陰イオン、農薬等の低分子量有機物を除去対象とする。
【００５６】
ＲＯ膜の塩化ナトリウム除去性能は、水道用膜モジュール規格ＡＭＳＴ−００２において、９３％以上と規定されており、極めて不純物の少ないろ過水を精製することができる。
【００５７】
このように、ＲＯ膜フィルタ（第２フィルタ）２６は、第１フィルタ８より高い濾過性能を備えている。
【００５８】
浄水回収率は２０％〜４０％が好ましい。浄水回収率がこの範囲よりも大きいと、除去性能が悪くなり、この範囲よりも小さくなると使い勝手が悪くなる。
【００５９】
また、イオン分離性能を有したフィルタとして、イオン交換体を用いることができる。
【００６０】
イオン交換体としては、イオン交換樹脂（カチオン交換樹脂、アニオン交換樹脂等）や、イオン交換繊維等を使用することができる。
【００６１】
ＲＯ膜フィルタ（第２フィルタ）２６の下流側にはオートシャットオフバルブ２８が配置されている。オートシャットバルブ２８には、ＲＯ膜フィルタ（第２フィルタ）２６からの透過水流路（第２浄水流路）３０、および濃縮水（排水）流路３２が接続されている。
【００６２】
透過水流路（第２浄水流路）３０のオートシャットオフバルブ２８より下流側には、ＲＯ貯水タンク３４が接続されている。
【００６３】
さらに、透過水流路（第２浄水流路）３０の下流端は逆止弁３６を介してポストフィルタ３９に接続されている。
【００６４】
さらに、ポストフィルタ３９は、逆止弁３９ａを介して、水栓１６に接続されている。
【００６５】
ポストフィルタとしては、プレフィルタや、第１フィルタと同じ材質や性能を有する物を用いることができる。なかでも、ＲＯ膜フィルタ（第２フィルタ）で発生する異味、臭気の原因となる有機化合物を吸着できることから、活性炭が好ましい。また、ＲＯ膜フィルタ（第２フィルタ）は原水に含まれる残留塩素を除去するため、細菌や微生物は増殖しやすい。そのため、精密ろ過膜(ＭＦ膜)が好ましい。
また、細菌や微生物だけでなく、活性炭の微粉も除去できることから、活性炭の下流に、精密ろ過膜（ＭＦ膜）を備えることがより好ましい。
【００６６】
第２浄水流路１０、原水流路１８、透過水流路（第２浄水流路）３０は、流路切替器３８（切替手段）を介して、水栓１６に接続されている。流路切替器３８（切替手段）は、固定ディスク４０（図２）と、固定ディスク４０に対し相対回転可能に重ねられた可動ディスク４２（図３）とを備えている。
【００６７】
可動ディスク４２は、水栓１６の上部に取付けられた心棒（図示せず）によって連結された切替レバー４４を回転させることにより、固定ディスク４０に対し相対的に回転される。切替レバー４４は吐水と止水、吐水させる水の種類を選択する操作手段である。
【００６８】
固定ディスク４０には、外周部に、３つの貫通穴４０ａ、４０ｂ、４０ｃが形成されている。また、可動ディスク４２にも、外周部に、開口４２ａが形成されている。
【００６９】
可動ディスク４２の開口４２ａは、固定ディスク４０と可動ディスク４２の相対回転に伴って、固定ディスク４０の貫通穴４０ａ、４０ｂ、４０ｃと重なることができる径方向の位置に配置されている。
【００７０】
また、固定ディスク４０の貫通穴４０ａと４０ｃは、可動ディスク４２の開口４２ａと同時に重って、４０ａと４０ｃを連通することができる周方向に隣接した位置に配置されている。
【００７１】
さらに、固定ディスク４０の貫通穴４０ａには第１浄水流路１０、４０ｂには原水流路１８、４０ｃには透過水流路（第２浄水流路）３０が、それぞれ、接続されている。
【００７２】
この結果、切替レバー４４の回転によって、可動ディスク４２を固定ディスク４０に対し相対的に回転させ、可動ディスク４２の開口４２ａと、固定ディスク４０の貫通穴４０ａ、４０ｂ、４０ｃの一又は二とを整列させることができる。
【００７３】
さらに、オートシャットオフバルブ２８は、図４に示されているように、内部の透過水流路に、膨張時に濃縮水（排水）流路３２を閉鎖するゴム弁２８ａを備えている。
このオートシャットオフバルブ２８は、ＲＯ貯水タンク３４内が満水になったとき、逆流する水圧をうけ、透過水流路（第２浄水流路）３０及び濃縮水（排水）流路３２の流路を遮断する。オートシャットバルブ２８を用いると、濃縮水のみが外部へ放流しないよう、ＲＯ貯水タンク３４の満水を視知確認し、手動で原水供給源を閉める手間を省くことができる。
【００７４】
次に、浄水システム１の動作について説明する。
浄水システム１は、使用時には、第１浄水供給流路２の上流端が、原水供給源（水道の蛇口等）に接続されている。そのため、第１浄水供給流路２に原水が常時、供給されている。
【００７５】
初期状態においては、切替レバー４４は止水状態にある。止水状態であっても、ＲＯ貯水タンク３４が満水でない場合には、オートシャットオフバルブ２８が作動せず、ＲＯ膜フィルタ（第２フィルタ）２６を透過した第２浄水が、ＲＯ貯水タンク３４に給水され続ける。
【００７６】
ＲＯ貯水タンク３４が満水となり、切替レバー４４による止水によってオートシャットオフバルブ２８内の内圧が上昇すると、透過水側のゴム弁２８ａが膨張し、濃縮水の排水が停止し、システムは休止状態となる（図５）。
【００７７】
すなわち、休止時に、ＲＯ貯水タンク３４を満水にしておくことができる。そのため、使用時にＲＯ貯水タンク３４から供給される第２浄水の流量が不足することが回避される。また、ＲＯ貯水タンク３４が満水になった状態では、濃縮水の排水が停止される。
【００７８】
浄水システム１は、切替レバー４４を操作することにより、吐水口１４から、原水（水道水）と、第１プレフィルタ４、カーボンフィルタ（第２プレフィルタ）６および第１フィルタ８で濾過された第１浄水と、第１プレフィルタ４、カーボンフィルタ（第２プレフィルタ）６、第１フィルタ８、およびＲＯ膜フィルタ（第２フィルタ）２６で濾過された第２浄水とを選択的に供給することができる。
【００７９】
すなわち、吐水口１４から原水を供給する場合には、切替レバー４４の操作によって、流路切替器３８内の可動ディスク４２の開口４２ａを固定ディスク４０の貫通穴４０ｂと整列させ、水栓１６内に原水流路１８から原水を導入し、吐水口１４から原水を供給させる。
【００８０】
また、吐水口１４から第１浄水を供給する場合には、切替レバー４４の操作によって、流路切替器３８内の可動ディスク４２の開口４２ａを固定ディスク４０の貫通穴４０ａと整列させ、水栓１６内に第１浄水流路１０から浄水（第１浄水）を導入し、吐水口１４から第１浄水を供給させる。
【００８１】
さらに、吐水口１４から第２浄水を供給する場合には、切替レバー４４の操作によって、流路切替器３８内の可動ディスク４２の開口４２ａを固定ディスク４０の貫通穴４０ｃと整列させ、水栓１６内に第２浄水流路３０から浄水（第２浄水）を導入し、吐水口１４から第２浄水を供給させる。
【００８２】
さらにまた、吐水口１４から第１浄水と第２浄水の混合液を供給する場合には、切替レバー４４の操作によって、流路切替器３８内の可動ディスク４２の開口４２ａを固定ディスク４０の貫通穴４０ａおよび４０ｃの両者と部分的に重なるように配置し、水栓１６内に第１浄水流路１０から浄水（第１浄水）および第２浄水流路３０から浄水（第２浄水）を導入し、吐水口１４から第１浄水と第２浄水の混合液を供給させる。
【００８３】
このとき、流路切替器３８内の固定ディスク４０に対する可動ディスク４２の角度位置を適宜、調整し、可動ディスク４２の開口４２ａと、連通する固定ディスク４０の貫通穴４０ａおよび４０ｃの面積を調整することにより、混合液内の第１浄水と第２浄水の割合を適宜、調整することができる。
【００８４】
飲用に適した水を得る場合は、第１浄水と第２浄水の割合を操作レバー４４で硬度の調整をする。硬度を１０ｐｐｍ〜１００ｐｐｍ、更に、蒸発残留物（ＴＤＳ）を３０ｐｐｍ〜２００ｐｐｍの範囲に調整することが好ましい。この範囲は日本の水道管理目標設定項目の目標値であり、飲用に適している。
また、硬度を６０ｐｐｍ以下の軟水となるよう調整することがより好ましい。この場合、まろやかな水となり飲用として好ましい。
【００８５】
硬度を調整する際は、硬度メーター、もしくはＴＤＳメーターを用いて調整する。また、水栓に硬度やＴＤＳを表示する表示器を設けても良い。
【００８６】
また、飲用に適した浄水に限らず、浴室、洗面台、理容院、美容院等で使用するシャワーに適した硬度に調整しても良い。
【００８７】
（実施形態２）
次に、本発明の他の好ましい実施形態の浄水システムについて説明する。
図６は、本発明の第２の実施形態の浄水システム５０の構成を示す模式的なブロック図である。尚、第１の実施形態と同一の様態には、同一符号を付して説明する（以下の実施形態についても同様）。
【００８８】
図６に示されているように、浄水システム５０は、ＲＯ膜フィルタ（第２フィルタ）２６と水栓１６の間に、オートシャットオフバルブ２８およびＲＯ貯水タンク３４が設けられていない点で、第１の実施形態の浄水システム１と異なる。
【００８９】
このような構成によれば、オートシャットオフバルブ２８及びＲＯ貯水タンク３４が必要ないため、構成が簡略化でき、設置の手間を省くことができ、低コストで浄水システムを提供することができる。
【００９０】
（実施形態３）
図７は、本発明の第３の実施形態の浄水システムの構成を示す模式的なブロック図である。
【００９１】
図７に示すように、浄水システム６０では、原湯が供給される原湯供給路６１に、逆止弁６１ａが配置されている。原湯供給路６１は流路切替器（切替手段）６８を介して、水栓１６に接続されている。
【００９２】
流路切替器６８は、固定ディスク６２（図８、図９）と、固定ディスク６２に対し相対回転可能に重ねられた可動ディスク６４（図１０）とを備えている。
【００９３】
可動ディスク６４は、水栓１６の上部に取付けられた心棒（図示せず）によって連結された切替レバー４４を回転させることにより、固定ディスク６２に対し相対的に回転される。また、可動ディスク６４は切替レバー４４を前後に倒すことにより、前後に摺動する。
【００９４】
図８は固定ディスク６２の底面図である。固定ディスク６１の底面には、外周部に４つの貫通穴６２ａ、６２ｂ、６２ｃ、６２ｄが形成さている。貫通穴６２ａには第１浄水流路１０、６２ｂには原水流路１８、６２ｃには透過水流路（第２浄水流路）３０、６２ｄには原湯流路６１が通水できるよう形成されている。
【００９５】
図９は固定ディスク６２を上部から見た平面図である。固定ディスク６２の上面には、外周部に４つの貫通穴６３ａ、６３ｂ、６３ｃ、６３ｄが形成さている。貫通穴６３ａには貫通穴６２ａ、貫通穴６３ｂには貫通穴６２ｂ、貫通穴６３ｃには貫通穴６２ｃ、貫通穴６３ｄには貫通穴６２ｄが、固定ディスク内部を貫通して連通されている。
【００９６】
図１０は可動ディスク６４の平面図である。可動ディスク６４は、開口６４aが形成されている。可動ディスク６４の開口６４ａは、固定ディスク６２と可動ディスク６４の相対回転に伴って、固定ディスク６２の貫通穴６３ａ、６３ｂ、６３ｃ、６４ｄと重なることができる径方向の位置に配置されている。
【００９７】
また、可動ディスク６４の開口６４ａは、固定ディスク６２の貫通穴６３ａと６３ｃ、または６３ｂと６３ｄと可動ディスク６４の開口６４ａが同時に重なり、６３ａと６３ｃまたは６３ｂと６３ｄを連通することができる位置に配置されている。
【００９８】
図１１は第２浄水を通水する場合の、可動ディスクと固定ディスクの配置図である。切替レバー４４を後方に倒すと、可動ディスク６４の開口６４ａが固定ディスクに対して後方に摺動し、固定ディスク６２の貫通穴に対する開口面積を大きくすることができる。
【００９９】
図１２は止水する場合の、可動ディスクと固定ディスクの配置図である。切替レバー４４を前方に倒すと、可動ディスク６４の開口６４ａが固定ディスクに対して前方に摺動し、固定ディスク４０の貫通穴に対する開口面積を小さくすることができる。さらに、完全に切替レバー４４を前方に倒すと、止水状態にすることができる。この時、左右に動かしたとしても、可動ディスク６４の開口６４ａは、固定ディスク６２の貫通穴と重なることはなく、それぞれの流路は可動ディスク６４の非開口部によって遮断され、止水状態となる。      
【０１００】
この結果、切替レバー４４の前後作動によって流路の開閉及び流量の調整と、
左右動作によって、可動ディスク６４の開口６４ａと、固定ディスク６２の貫通穴６３ａ、６３ｂ、６３ｃ、６３ｄ及び６３ａと６３c、６３ｂと６３ｄとを整列させることができる。
【０１０１】
吐水口１４から原湯を供給する場合には、切替レバー４４の操作によって、流路切替器６８内の可動ディスク６４の開口６４ａを固定ディスク６２の貫通穴６３ｄと整列させ、水栓１６内に原湯流路６１から原湯を導入し、吐水口１４から原水を供給させる。また、切替レバー４４の前後動作によって、流量を調整することができる。
【０１０２】
さらにまた、吐水口１４から原水と原湯の湯水混合水を供給する場合には、切替レバー４４の操作によって、可動ディスク６４の開口６４ａを固定ディスク６２の貫通穴６３ｂおよび６３ｄの両者と部分的に重なるように配置し、水栓１６内に原水流路１８から原水および原湯流路６１から原湯を導入し、吐水口１４から原水と原湯の湯水混合水を供給させる。
【０１０３】
このとき、固定ディスク６２に対する可動ディスク６４の位置を調整し、可動ディスク６４の開口６４ａと、連通する固定ディスク６２の貫通穴６３ｂおよび６３ｄの面積を調整することにより、湯水混合水内の原水と原湯の割合を適宜、調整することができる。更には、切替レバー４４の前後動作によって、流量を調整することができる。
【０１０４】
吐水口から、第１浄水及び、第１浄水と第２浄水の混合液を供給する場合は、原湯及び、原水と原湯の混合液を供給する場合と同様に切替レバー４４の操作を行うことでで、供給することができる。
【０１０５】
（実施形態４）
図１３は、本発明の第４の実施形態の浄水システムの構成を示す模式的なブロック図である。第４の実施形態は、ＩＩ型（元止め式）の浄水システムである。
図１３に示すように、原水流路１８の分岐箇所よりも上流に、原水供給路２を開閉する電磁弁（開閉弁）５２が設けられている。そして、この電磁弁５２には、電磁弁５２を開閉し、吐水口１４からの吐水と止水とを切り替える浄水用制御装置５３が設けられている。
【０１０６】
浄水用制御装置５３は切替レバー４４と図示しない電気配線により接続されている。よって、切替レバー４４を操作して、浄水を吐水する場合には、電磁弁５２が開放され、浄水システムに原水が供給され、浄水が吐水口から吐出される。また、止水する場合には、電磁弁５２が閉止され、浄水システムに原水の供給が止まる。そのため、フィルタに水圧がかからないように構成されている。
【０１０７】
さらに、図１３に示した浄水システムでは、第２浄水供給路２２の逆止弁２４よりも下流に、ポンプ５４を備える事が好ましい。また、ポンプ５４はロープレッシャースイッチ５５を備えている。
【０１０８】
ロープレッシャースイッチ５５はポンプ５４と図示しない電気配線により接続されている。ロープレッシャースイッチ５５は、通水時にＯＮとなり、ポンプ５４を稼働させる。また、ロープレッシャースイッチ５５は止水時にはＯＦＦとなり、ポンプ５４を停止させる。よって、第２浄水の吐水時には、ＲＯ膜を加圧して水量を確保することができる。また、止水時には加圧しないので、電力を節約することができ経済的である。
【０１０９】
また、図１３では、原水を別の水栓に接続しているが、浄水器用の水栓に接続しても良い。その場合、制御装置５３と逆止弁３の間に原水流路１８を設けて、吐水口から原水を吐水することができる。
【０１１０】
また、図１３では、原水供給路２が電磁弁を介して第１プレフィルタ４に連通しているが、原水供給路２を水栓１６内の流路切替装置に接続し、流路切替装置から配管を経て、プレフィルタ４に接続しても良い。この場合、切替レバー４４の操作によって、浄水装置に原水が供給されるので、水栓に水圧がかかり、浄水使用時のみ各フィルタに水圧がかかるよう設計された、いわゆるＩＩ型(元止め式)の浄水システムとして使用できる。
【０１１１】
本発明は、前記実施形態に限定されることなく、特許請求の範囲に記載された技術的思想の範囲内で種々の変更、変形が可能である。
【０１１２】
例えば、上述の実施形態の浄水システムでは、第１フィルタ８として、精密ろ過膜フィルタが使用されているが、精密ろ過膜フィルタに替えて、他の濾過膜、例えば限外ろ過膜(ＵＦ膜)、またはナノろ過膜(ＮＦ膜)をろ材としたフィルタを用いても良い。
【０１１３】
ここで、限外ろ過膜(ＵＦ膜)は、精密ろ過膜より更に膜孔径が小さいもので、膜表面の孔径は、０．０１μｍ以下であり、除去対象物質の分子量が１，０００〜３００，０００Ｄａ程度の膜である。分離可能な物質の大きさを分子量で示した分画分子量であらわされる。水、イオン分子、低分子量物質は透過する。これらろ過膜による不純物除去効果は０．０１μｍ程度の粒子除去が限界となっている。
【０１１４】
また、ナノろ過膜(ＮＦ膜)は、硬度成分等の二価金属イオンから広範囲の低分子量物質を除去する場合に用いられる。限外ろ過膜(ＵＦ膜)とＲＯ膜の中間に位置づけられ、二価イオンは阻止するが、一価金属イオンは透過しやすいといった特徴がある。
【０１１５】
したがって、第１浄水に求められる水質に応じて、第１フィルタ８に使用するフィルタ膜が適宜、選定される。
【０１１６】
また、上述の実施形態の浄水システムでは、１つの水栓に原水と、第１浄水と、第２浄水とを接続させる構成としたが、原水とは別に、第１浄水、第２浄水とを別の水栓に接続しても良い
【０１１７】
また、上述の実施形態の浄水システムでは、第２プレフィルタ６は吐水口１４と連結されていないが、第２プレフィルタ６と吐水口１４とを連結させるプレフィルタ浄水路を設けて、吐水口１４から、プレフィルタ浄水を供給しても良い。
【０１１８】
また、上述の実施形態の浄水システムでは、操作手段として切替レバー４４を備えていが、スイッチなどを設けても良い。
【０１１９】
なお、上述の実施形態において「上流」及び「下流」とは、原水入口を最上流とし、吐水口を最下流とする流路における方向を意味する。
【符号の説明】
【０１２０】
１：浄水システム
２：第１浄水供給流路
４：第1プレフィルタ
６：第２プレフィルタ（カーボンフィルタ）
８：第１フィルタ
１０：第１浄水流路
１４：吐水口
１６：水栓
１８：原水流路
２２：分岐路（浄水供給流路）
２６：第２フィルタ
２８：オートシャットオフバルブ
３０：透過水流路（第２浄水流路）
３２：濃縮水（排水）流路
３４：ＲＯ貯水タンク
３８：流路切替器（切替手段）
４０：固定ディスク
４２：可動ディスク
４４：切替レバー（操作手段）
【図１】
2015123389.tif 000003
【図２】
2015123389.tif 000004
【図３】
2015123389.tif 000005
【図４】
2015123389.tif 000006
【図５】
2015123389.tif 000007
【図６】
2015123389.tif 000008
【図７】
2015123389.tif 000009
【図８】
2015123389.tif 000010
【図９】
2015123389.tif 000011
【図１０】
2015123389.tif 000012
【図１１】
2015123389.tif 000013
【図１２】
2015123389.tif 000014
【図１３】
2015123389.tif 000015